(57)【要約】 【課題】既成のぬいぐるみにない手作り感を味わうことができ、完成度が高く所有することの満足感を得ることができるぬいぐるみを提供する。【解決手段】布地１２ｃ、１２ｄを縫い合わせるべき縫い合わせ部の一部を未縫製のまま開口した開口部２０を設け、開口部２０で対向する複数の布地１２ｃ、１２ｄの開口縁部に縫い合わされた筒状のスカート部２２を設け、スカート部２２が開口縁部に縫い付けられたスカート縫い付け部２４の外側近傍の複数箇所で複数の布地１２ｃ、１２ｄを貫通し、両端を牽引することにより開口部２０を閉じる糸状部材３０を設けている。開口部２０に連通するぬいぐるみ５０内部には充填用空間が形成されている。【選択図】  図２
2006061362.tif 000002
【特許請求の範囲】
【請求項１】
布地に形成され、所定長さに開口した開口部と、
前記開口部の開口縁部に縫い合わされた筒状のスカート部と、
前記スカート部が前記開口縁部に縫い付けられたスカート縫い付け部の外側近傍の複数箇所で布地を貫通し、両端を牽引することにより前記開口部を閉じる糸状部材とを有し、
前記開口部に連通するぬいぐるみ内部には充填用空間が形成されていることを特徴とするぬいぐるみ。
【請求項２】
所定形状に裁断された複数の布地の縁部同士を縫い合わせて形成されたぬいぐるみであって、
前記複数の布地を縫い合わせるべき縫い合わせ部の一部を未縫製のまま開口した開口部と、
前記開口部で対向する複数の布地の開口縁部に縫い合わされた筒状のスカート部と、
前記スカート部が前記開口縁部に縫い付けられたスカート縫い付け部の外側近傍の複数箇所で前記複数の布地を貫通し、両端を牽引することにより前記開口部を閉じる糸状部材とを有し、
前記開口部に連通するぬいぐるみ内部には充填用空間が形成されていることを特徴とするぬいぐるみ。
【請求項３】
請求項１又は２記載のぬいぐるみにおいて、
前記スカート部を介して前記開口部から前記充填用空間に充填物が充填されることを特徴とするぬいぐるみ。
【請求項４】
請求項１乃至３のいずれか１項に記載のぬいぐるみにおいて、
前記開口部から充填物を充填し難い細径部には、予め充填物が充填されていることを特徴とするぬいぐるみ。
【請求項５】
請求項１乃至４のいずれか１項に記載のぬいぐるみにおいて、
前記スカート部の開口側の端部を締め付ける締め付け用弾性部材を設けたことを特徴とするぬいぐるみ。
【請求項６】
請求項１乃至５のいずれか１項に記載のぬいぐるみにおいて、
前記糸状部材の一方の端部から布地への貫通位置に至る範囲内のいずれかの位置と、前記糸状部材の他方の端部から布地への貫通位置に至る範囲内のいずれかの位置に、前記糸状部材を牽引するための摘み部がそれぞれ設けられていることを特徴とするぬいぐるみ。
【請求項７】
請求項１乃至５のいずれか１項に記載のぬいぐるみにおいて、
前記糸状部材の一方の端部から布地への貫通位置に至る範囲内のいずれかの位置と、前記糸状部材の他方の端部から布地への貫通位置に至る範囲内のいずれかの位置に、布地の貫通孔よりも太い部分が設けられていることを特徴とするぬいぐるみ。
【請求項８】
請求項１乃至７のいずれか１項に記載のぬいぐるみにおいて、
前記糸状部材の一方の端部から該糸状部材に沿って最も近い布地の貫通孔と、前記糸状部材の他方の端部から該糸状部材に沿って最も近い布地の貫通孔とは、前記開口部の開口縁部の近傍であって、前記開口部に対して対照的な位置にあり、前記一方の端部と前記他方の端部とを牽引することにより前記開口部の開口縁部を縫い合わせることを特徴とするぬいぐるみ。
【発明の詳細な説明】
【技術分野】
【０００１】
本発明はぬいぐるみに関し、特に、自分だけのオリジナルな形態にすることができるぬいぐるみに関する。
【背景技術】
【０００２】
ぬいぐるみは、例えば動物などの外観を有する布製玩具の一種であって、所定形状に裁断した複数の布地の縁部同士を縫い合わせて袋状にし、内部に中綿材を充填して作成したものである。ぬいぐるみは、ＵＦＯキャッチャー（商品名）等の景品獲得機で提供される代表的な景品であり、ぬいぐるみの人気が直接的に景品獲得機の人気に影響するので、ぬいぐるみを常に開発し提供することが求められている。
【０００３】
しかし、目新しいぬいぐるみを常に提供し続けることは非常に困難である。また、これまでのぬいぐるみは完成品として提供されるため、遊戯者が自分の好みに応じて変えたりすることはできず、遊戯者の創作の楽しみを満足させるものではなかった。
【０００４】
そこで、既成のぬいぐるみにない手作り感を味わうことができる自分だけのオリジナルなぬいぐるみが注目されている。
【特許文献１】特開２００２−３２５９７８公報
【特許文献２】特開平１０−４３４４９号公報
【発明の開示】
【発明が解決しようとする課題】
【０００５】
しかしながら、遊戯者による手作りができる従来のぬいぐるみは、ぬいぐるみとしての完成度が低く、所有することの満足感を得ることができなかった。
【０００６】
本発明の目的は、既成のぬいぐるみにない手作り感を味わうことができ、完成度が高く所有することの満足感を得ることができるぬいぐるみを提供することにある。
【０００７】
本発明の目的は、遊戯者のように作業に習熟していないものが作業した場合であっても、完成度の高いものを作成することができるぬいぐるみを提供することにある。
【課題を解決するための手段】
【０００８】
本発明の一態様によるぬいぐるみは、布地に形成され、所定長さに開口した開口部と、前記開口部の開口縁部に縫い合わされた筒状のスカート部と、前記スカート部が前記開口縁部に縫い付けられたスカート縫い付け部の外側近傍の複数箇所で布地を貫通し、両端を牽引することにより前記開口部を閉じる糸状部材とを有し、前記開口部に連通するぬいぐるみ内部には充填用空間が形成されていることを特徴とする。
【０００９】
本発明の一態様によるぬいぐるみは、所定形状に裁断された複数の布地の縁部同士を縫い合わせて形成されたぬいぐるみであって、前記複数の布地を縫い合わせるべき縫い合わせ部の一部を未縫製のまま開口した開口部と、前記開口部で対向する複数の布地の開口縁部に縫い合わされた筒状のスカート部と、前記スカート部が前記開口縁部に縫い付けられたスカート縫い付け部の外側近傍の複数箇所で前記複数の布地を貫通し、両端を牽引することにより前記開口部を閉じる糸状部材とを有し、前記開口部に連通するぬいぐるみ内部には充填用空間が形成されていることを特徴とする。
【００１０】
上述したぬいぐるみにおいて、前記スカート部を介して前記開口部から前記充填用空間に充填物が充填されていてもよい。
【００１１】
上述したぬいぐるみにおいて、前記開口部から充填物を充填し難い細径部には、予め充填物が充填されていてもよい。
【００１２】
上述したぬいぐるみにおいて、前記スカート部の開口側の端部を締め付ける締め付け用弾性部材を設けるようにしてもよい。
【００１３】
上述したぬいぐるみにおいて、前記糸状部材の一方の端部から布地への貫通位置に至る範囲内のいずれかの位置と、前記糸状部材の他方の端部から布地への貫通位置に至る範囲内のいずれかの位置に、前記糸状部材を牽引するための摘み部がそれぞれ設けられているようにしてもよい。
【００１４】
上述したぬいぐるみにおいて、前記糸状部材の一方の端部から布地への貫通位置に至る範囲内のいずれかの位置と、前記糸状部材の他方の端部から布地への貫通位置に至る範囲内のいずれかの位置に、布地の貫通孔よりも太い部分が設けられているようにしてもよい。
【００１５】
上述したぬいぐるみにおいて、前記糸状部材の一方の端部から該糸状部材に沿って最も近い布地の貫通孔と、前記糸状部材の他方の端部から該糸状部材に沿って最も近い布地の貫通孔とは、前記開口部の開口縁部の近傍であって、前記開口部に対して対照的な位置にあり、前記一方の端部と前記他方の端部とを牽引することにより前記開口部の開口縁部を縫い合わせるようにしてもよい。
【発明の効果】
【００１６】
本発明によれば、遊戯者が開口部から充填用空間に中綿材等の充填物を充填することができるので、充填物の量を調節することにより自分の好みに応じて形状を変えることができ、自分だけのオリジナルなぬいぐるみにすることができる。
【００１７】
本発明によれば、糸状部材の両端を牽引して開口部を隙間なく均一に閉じることができるので、遊戯者のように作業に習熟していないものが作業した場合であっても、完成度の高いものを作成することができる。
【発明を実施するための最良の形態】
【００１８】
本発明の一実施形態によるぬいぐるみについて図１乃至図６を用いて説明する。図１は本実施形態のぬいぐるみの正面を示す図、図２は本実施形態のぬいぐるみの背面を示す図、図３は本実施形態のぬいぐるみの開口部を閉じるための糸状部材を示す図、図４は本実施形態のぬいぐるみに中綿材を注入するための中綿材吹き込み装置の外観を示す図、図５は本実施形態のぬいぐるみに中綿材を充填する方法を示す工程図、図６は本実施形態のぬいぐるみのスカート部を示す図である。
【００１９】
本実施形態によるぬいぐるみ１０は、図１及び図２に示すように、動物（犬）の外観をしており、胴部１２と、頭部１４と、手部１６と、足部１８とを有している。複数の布地を所定形状に裁断し、裁断された複数の布地の縁部同士を縫い合わせて袋状にして、図１に示すような胴部１２と頭部１４と手部１６と足部１８を有する動物の外観をしたぬいぐるみ１０を形成する。胴部１２に、頭部１４と手部１６と足部１８を縫い付けてあり、動きやすくしている。胴部１２に頭部１４が縫い付けられた首の部分にはリボン１９が巻き付けられている。
【００２０】
本実施形態では、頭部１４と手部１６と足部１８には中綿材等の充填物を充填しているが、胴部１２には充填物を充填しないで空洞のままにしている点に特徴がある。この空洞に充填する充填物の量を調節することにより、ぬいぐるみ１０を自分好みの独自の形状にする。また、胴部１２には、中綿材等のような充填物の他に、写真や宝石等の小物類や願い事を書いたカード等を入れてもよいし、香りのする香り袋等を入れてもよい。
【００２１】
本実施形態のぬいぐるみ１０の胴部１２は、４枚の布地１２ａ、１２ｂ、１２ｃ、１２ｄを縫い合わせて形成するが、図２に示すように、背面の布地１２ｃ、１２ｄの縫い合わせ部の一部を未縫製のままにして開口部２０を形成している。
【００２２】
後述する中綿材充填のために筒状のスカート部２２を別途設け、開口部２０で対向する布地１２ｃ、１２ｄの開口縁部にスカート部２２の端部を縫い付けている。これによりスカート部２２より開口部２０を介して胴部１２内の空間に、外部から中綿材等を入れることができる。
【００２３】
開口部２０を閉じるための糸状部材３０は、スカート部２２が開口部２０の開口縁部に縫い付けられたスカート縫い付け部２４の外側近傍の布地１２ｃ、１２ｄを貫通するように設けられている。図２に示すように、スカート部２２を開口部２０から引き出した状態のときに、糸状部材３０はスカート部２２に巻き付くものの、スカート部２２の内側には糸状部材３０が露出しない。これにより、スカート部２２から中綿材等の充填物を入れるときに糸状部材３０が邪魔をすることがない。
【００２４】
糸状部材３０の縫い付け状態について図３を用いて説明する。図３においては、スカート部２２の図示を省略している。図３（ａ）は開口部２０が開いた状態を示し、図３（ｂ）は開口部２０が閉じた状態を示している。
【００２５】
図３（ａ）に示すように、胴体１２を形成する布地１２ｃ、１２ｄの縫い合わせ部の一部を未縫製のままにして開口部２０を形成し、開口部２０のスカート縫い付け部２４にはスカート部２２の端部が縫い付けられている。糸状部材３０は、スカート縫い付け部２４の外側であって、スカート縫い付け部２４に沿って、縫い付けられている。糸状部材３０の両先端には、引っ張るための摘み部３０Ａ、３０Ｂが設けられている。なお、摘み部３０Ａ、３０Ｂは、引っ張ることができれば、糸状部材３０の先端でなくてもよい。摘み部３０Ａは、糸状部材３０の一方の端部から最初の貫通孔２６ａの貫通位置に至る範囲内のいずれかの位置にあればよく、摘み部３０Ｂは、糸状部材３０の他方の端部から最初の貫通孔２６ｎの貫通位置に至る範囲内のいずれかの位置にあればよい。
【００２６】
また、中綿材を充填するときのように、外力により糸状部材３０が引っ張られたとしても、貫通孔２６ａ、２６ｎよりも太い摘み部３０Ａ、３０Ｂがあるので、貫通孔２６ａ、２６ｎ内に入ってしまうのを防止することができる。
【００２７】
なお、摘み部３０Ａ、３０Ｂとは別個に、貫通孔２６ａ、２６ｎよりも太い部分、例えば、結び目や別部材を、糸状部材３０の一方の端部から最初の貫通孔２６ａの貫通位置に至る範囲内のいずれかの位置と、糸状部材３０の他方の端部から最初の貫通孔２６ｎの貫通位置に至る範囲内のいずれかの位置に設けてもよい。
【００２８】
一本の糸状部材３０は、スカート縫い付け部２４近傍の貫通孔２６ａ、２６ｂ、…、２６ｎを貫通している。糸状部材３０は、摘み部３０Ａから、貫通孔２６ａを通って布地１２ｃの裏側に出た後、貫通孔２６ｂを通って布地１２ｃの表側に出る。布地１２ｃの表側に出た糸状部材３０は、開口部２０を渡り、対向する布地１２ｄの貫通孔２６ｃからその裏側に出た後、貫通孔２６ｄを通って布地１２ｄの表側に出る。布地１２ｄの表側に出た糸状部材３０は、開口部２０を渡り、対向する布地１２ｃの貫通孔２６ｅからその裏側に出た後、貫通孔２６ｆを通って布地１２ｃの表側に出る。布地１２ｃの表側に出た糸状部材３０は、開口部２０を渡り、対向する布地１２ｄの貫通孔２６ｇからその裏側に出た後、貫通孔２６ｈを通って布地１２ｃの表側に出る。布地１２ｃの表側に出た糸状部材３０は、開口部２０を渡り、対向する布地１２ｄの貫通孔２６ｉからその裏側に出た後、貫通孔２６ｊを通って布地１２ｃの表側に出る。布地１２ｄの表側に出た糸状部材３０は、開口部２０を渡り、対向する布地１２ｃの貫通孔２６ｋからその裏側に出た後、貫通孔２６ｌを通って布地１２ｃの表側に出る。布地１２ｃの表側に出た糸状部材３０は、開口部２０を渡り、対向する布地１２ｄの貫通孔２６ｍからその裏側に出た後、開口部３０内側のを通り、その最下部にある布地１２ｄの貫通孔２６ｎから表側に出て、摘み部３０Ｂに至る。
【００２９】
図３（ａ）に示すように、開口部２０が開いた状態にあるときに、摘み部３０Ａ、３０Ｂを摘んで糸状部材３０を引っ張ると、布地１２ｃ、１２ｄの対向面が近づいて開口部２０が引き絞られ、ついには、図３（ｂ）に示すように、開口部２０が閉じた状態となる。
【００３０】
糸状部材３０の一方の端部から最初の貫通孔２６ａと、糸状部材３０の他方の端部から最初の貫通孔２６ｎとが、開口部２０に対して対照的な位置にあるので、摘み部３０Ａ、３０Ｂを摘んで糸状部材３０を牽引した場合に、均等な引き絞り力が加わり、開口部２０近傍の布地１２ｃ、１２ｄが糸状部材３０により引きつることなく、布地１２ｃ、１２ｄの合わせ目に隙間や歪が生じることなく、均一で綺麗な縫い付け状態が実現できる。
【００３１】
このように、糸状部材３０を引っ張ることにより布地１２ｃ、１２ｄの対向縁が引き寄せられて開口部２０が閉じるように、糸状部材３０を縫い付けている。その後、開口部２０が閉じた状態で、糸状部材３０を何回かこぶ結びし、余った部分をはさみ等で切断して、開口部２０を封印する。
【００３２】
この糸状部材３０の殆どの部分は、開口部２０に縫い付けられたスカート部２２の外側に巻き付いた状態となり、僅かに、布地１２ｄの貫通孔２６ｍから布地１２ｄの貫通孔２６ｎに至る部分だけがスカート部２２内部に露出した状態となるだけであるので、スカート部２２から中綿材等の充填物を入れるときに糸状部材３０が引っかかって邪魔をすることがない。
【００３３】
なお、開口部２０の封印後に、糸状部材３０が何らかの外力により切断して、開口部２０が開いてしまったとしても、開口部２０内にはスカート部２２が押し込まれているので、スカート部２２により蓋をされた状態となり、中綿材等が直ちに外部に飛び出してしまうことはない。
【００３４】
次に、中綿材吹き込み装置について、図４を用いて説明する。中綿材吹き込み装置５０は、本実施形態のぬいぐるみ１０に中綿材を注入するための装置である。
【００３５】
中綿材吹き込み装置５０は、角柱形状の台座部５２上に円筒形状の中綿材収容部５４が設けられている。中綿材収容部５４には多量の中綿材５５が収容されている。中綿材収容部５４内には撹拌機構（図示せず）が設けられ、収容された中綿材を撹拌する。中綿材収容部５４の前面には動物の象に模した化粧パネル５６が設けられ、化粧パネル５６には象の鼻に模したノズル５８が設けられている。中綿材吹き込み装置５０を動作させると、ノズル５８の先端から中綿材が吹き出す。
【００３６】
次に、本実施形態のぬいぐるみ１０に中綿材を充填する方法を図５の工程図にしたがって説明する。
【００３７】
景品獲得機（図示せず）で獲得したり、お店で購入したりしてぬいぐるみ１０を入手する。この入手した状態では、ぬいぐるみ１０の胴部１２は空洞となっている。
【００３８】
まず、ぬいぐるみ１０の開口部２０からスカート部２２を引き出す（図５（ａ））。
【００３９】
次に、図４に示す中綿材吹き込み装置５０によりぬいぐるみ１０に中綿材を吹き込む。中綿材吹き込み装置５０のノズル５８の先端を、ぬいぐるみ１０のスカート部２２に挿入し、胴部１２内に中綿材を吹き込む（図５（ｂ））。ぬいぐるみ１０の状態を見ながら、遊戯者が自分の好みに応じた量を吹き込む。
【００４０】
なお、中綿材吹き込み装置５０からは中綿だけではなく空気も吹き込まれるが、ぬいぐるみ１０の布地全体から空気が漏れるので、空気によりぬいぐるみ１０が膨らみすぎることはない。
【００４１】
次に、中綿材吹き込み装置５０の動作を止めて、ノズル５８をぬいぐるみ１０のスカート部２２から引き抜く（図５（ｃ））。
【００４２】
次に、ぬいぐるみ１０のスカート部２２を開口部２０内に押し込む（図５（ｄ））。このとき胴部１２内には中綿材が充填されているが、開口部２０が開いた状態であっても、スカート部２２が折れ曲がったり折り畳まれたりしてぬいぐるみ１０内部に押し込まれて開口部２０を塞ぐので、ぬいぐるみ１０内部の中綿材が開口部２０から飛び出すのを防ぐ。
【００４３】
次に、ぬいぐるみ１０の糸状部材３０の摘み部３０Ａ、３０Ｂを摘んで引っ張り、糸状部材３０で布地１２ｃ、１２ｄの縁部を絞り、開口部２０を閉じる（図５（ｅ））。
【００４４】
次に、開口部２０が閉じた状態で、糸状部材３０を何回かこぶ結びし、余った部分をはさみ等で切断する（図５（ｆ））。
【００４５】
このようにして、本実施形態のぬいぐるみ１０へ中綿材を充填して、ぬいぐるみ１０を自分の好みの形状にすることができる。しかも、遊戯者の手作業により、ぬいぐるみ１０の開口部２０を糸状部材３０により綺麗に縫い付けることができるので、完成度の高い自分だけのオリジナルなぬいぐるみを作成することができる。
【００４６】
これまでの綿詰め用ぬいぐるみは、綿の注入部として縫製をしていない穴の部分を設けただけであったので、上手に綿入れすることが難しく、しかも、綿入れ後の穴を見栄えよく処置することが難しい。これに対し、本実施形態によれば、スカート部から中綿材を容易に充填することができ、開口部を綺麗に縫い付けることができる。
【００４７】
次に、本実施形態のぬいぐるみ１０のスカート部２２の形状について、図６を用いて説明する。
【００４８】
中綿材吹き込み装置５０のノズル５８の先端をぬいぐるみ１０のスカート部２２に挿入し、中綿材を吹き込む際に、スカート部２２を掴む力が弱かったり、掴み方が不完全であったりすると、ノズル５８がスカート部２２から外れたり、スカート部２２から中綿材が漏れるという不都合が生ずる。
【００４９】
このような不都合を解消するために、スカート部２２を伸縮性のあるニット生地等の布地で作るようにしてもよい。また、スカート部２２の開口側の端部に締め付け用弾性部材を設けるようにしてもよい。例えば、図６（ａ）に示すように、スカート部２２の端部にゴム２２Ａを設ける用にしてもよいし、図６（ｂ）に示すように、スカート部２２の端部を幅広の締め付け部２２Ｂを設けるようにしてもよい。
【００５０】
このように、本実施形態によれば、遊戯者が開口部から充填する中綿材等の充填物の量を調節することにより自分の好みに応じて形状を変えることができ、自分独自のぬいぐるみを簡単に綺麗に作ることができる。
【００５１】
本発明は上記実施形態に限らず種々の変形が可能である。
【００５２】
例えば、上記実施形態では、糸状部材３０の自由端が開口部２０の下側になるように縫われ、摘み部３０Ａ、３０Ｂを下側左右に引っ張ることにより、開口部２０下部で糸状部材３０を縛ったが、反対に、図７に示すように、糸状部材３０の自由端が開口部２０の上側になるようにしてもよい。糸状部材３０の自由端が開口部２０上部の頭部１４側に出ており、端部に摘み部３０Ａ、３０Ｂが設けられている。これにより、開口部２０を閉じ、糸状部材３０をこぶ結びし、余った部分をはさみ等で切断した状態でも、こぶ結びの部分が首に巻き付けたリボン１９で隠れて更に見栄えのよいぬいぐるみを作成することができる。
【００５３】
また、上記実施形態では、糸状部材３０の両端が共に開口部２０の開口縁部の下部から突出したが、図８に示すように、開口部３０の開口縁部の中央近傍から突出するようにしてもよい。
【００５４】
図８（ａ）の変形実施形態では、貫通孔２７ａと２７ｎは、開口部２０の開口縁部の中央であって、開口部３０に対して対照的な位置に設けられている。糸状部材３０は、摘み部３０Ａから、貫通孔２７ａを通って布地１２ｃの裏側に出た後、貫通孔２７ｂを通って布地１２ｃの表側に出る。布地１２ｃの表側に出た糸状部材３０は、開口部２０を渡り、対向する布地１２ｄの貫通孔２７ｃからその裏側に出た後、貫通孔２７ｄを通って布地１２ｄの表側に出る。布地１２ｄの表側に出た糸状部材３０は、開口部２０内側を渡り、対向する布地１２ｃの貫通孔２７ｅからその裏側に出た後、貫通孔２７ｆを通って布地１２ｃの表側に出る。布地１２ｃの表側に出た糸状部材３０は、開口部２０を渡り、対向する布地１２ｄの貫通孔２７ｇからその裏側に出る。貫通孔２７ｇから布地１２ｄの裏側にでた糸状部材３０は、開口部２０を下から上に斜めに縦断して、貫通孔２７ｈを通って布地１２ｃの表側に出る。布地１２ｃの表側に出た糸状部材３０は、開口部２０を渡り、対向する布地１２ｄの貫通孔２７ｉからその裏側に出た後、貫通孔２７ｊを通って布地１２ｄの表側に出る。布地１２ｄの表側に出た糸状部材３０は、開口部２０を渡り、対向する布地１２ｃの貫通孔２７ｋからその裏側に出た後、貫通孔２７ｌを通って布地１２ｃの表側に出る。布地１２ｃの表側に出た糸状部材３０は、開口部２０を渡り、対向する布地１２ｄの貫通孔２７ｍからその裏側に出た後、貫通孔２７ｎを通って布地１２ｄの表側に出て、摘み部３０Ｂに至る。
【００５５】
開口部２０が開いた状態にあるときに、摘み部３０Ａ、３０Ｂを摘んで糸状部材３０を左右に引っ張ると、布地１２ｃ、１２ｄの対向面が近づいて開口部２０が引き絞られ、開口部２０が閉じた状態となる。
【００５６】
図８（ｂ）の変形実施形態では、貫通孔２８ａと２８ｐは、開口部２０の開口縁部の中央であって、開口部３０に対して対照的な位置に設けられている。糸状部材３０は、摘み部３０Ａから、貫通孔２８ａを通って布地１２ｃの裏側に出た後、布地１２ｃの裏側を渡り、開口部２０の上側の貫通孔２８ｂを通って布地１２ｃの表側に出る。布地１２ｃの表側に出た糸状部材３０は、開口部２０を渡り、対向する布地１２ｄの貫通孔２８ｃからその裏側に出た後、貫通孔２８ｄを通って布地１２ｄの表側に出る。布地１２ｄの表側に出た糸状部材３０は、開口部２０を渡り、対向する布地１２ｃの貫通孔２８ｅからその裏側に出た後、貫通孔２８ｆを通って布地１２ｃの表側に出る。布地１２ｃの表側に出た糸状部材３０は、開口部２０を渡り、対向する布地１２ｄの貫通孔２８ｇからその裏側に出て、貫通孔２８ｈを通って布地１２ｄの表側に出る。布地１２ｄの表側に出た糸状部材３０は、開口部２０を渡り、対向する布地１２ｃの貫通孔２８ｉからその裏側に出た後、貫通孔２８ｊを通って布地１２ｃの表側に出る。布地１２ｃの表側に出た糸状部材３０は、開口部２０を渡り、対向する布地１２ｄの貫通孔２８ｋからその裏側に出た後、貫通孔２８ｌを通って布地１２ｄの表側に出る。布地１２ｄの表側に出た糸状部材３０は、開口部２０を渡り、対向する布地１２ｃの貫通孔２８ｍからその裏側に出た後、貫通孔２８ｎを通って布地１２ｄの表側に出る。布地１２ｃの表側に出た糸状部材３０は、開口部２０を渡り、対向する布地１２ｄの貫通孔２８ｏからその裏側に出た後、布地１２ｄの裏側を渡り、開口部２０の開口縁部中央の貫通孔２８ｐから布地１２ｄの表側に出て、摘み部３０Ｂに至る。
【００５７】
開口部２０が開いた状態にあるときに、摘み部３０Ａ、３０Ｂを摘んで糸状部材３０を左右に引っ張ると、布地１２ｃ、１２ｄの対向面が近づいて開口部２０が引き絞られ、開口部２０が閉じた状態となる。
【００５８】
なお、この場合は、糸状部材３０がスカート部２２内に露出しないので、充填物を充填する際に糸状部材３０が引っかかって邪魔することがなく、スムーズに充填作業を行うことができる。
【００５９】
また、上記実施形態では、布地を縫い合わせるべき縫い合わせ部の一部を未縫製のままにして開口部を形成したが、布地に切れ目をいれて開口する等の他の方法により、ぬいぐるみ内部への開口部を形成してもよい。
【００６０】
また、上記実施形態では動物を模したぬいぐるみに本発明を適用したが、本発明は動物のぬいぐるみに限定されるわけではなく、あらゆる種類のぬいぐるみでもよい。
【図面の簡単な説明】
【００６１】
【図１】本発明の一実施形態によるぬいぐるみの正面を示す図である。
【図２】本発明の一実施形態によるぬいぐるみの背面を示す図である。
【図３】本発明の一実施形態によるぬいぐるみの開口部を閉じるための糸状部材を示す図である。
【図４】本発明の一実施形態によるぬいぐるみに中綿材を注入するための中綿材吹き込み
【図５】本発明の一実施形態によるぬいぐるみに中綿材を充填する方法を示す工程図である。
【図６】本発明の一実施形態によるぬいぐるみのスカート部を示す図である。
【図７】本発明の他の実施形態によるぬいぐるみの背面を示す図である。
【図８】本発明の更に他の実施形態によるぬいぐるみの開口部を閉じるための糸状部材を示す図である。
【符号の説明】
【００６２】
１０…ぬいぐるみ
１２…胴部
１２ａ、１２ｂ、１２ｃ、１２ｄ…布地
１４…頭部
１６…手部
１８…足部
１９…リボン
２０…開口部
２２…スカート部
２２Ａ…ゴム
２２Ｂ…締め付け部
２４…スカート縫い付け部
２６ａ、２６ｂ、…、２６ｎ…貫通孔
２７ａ、２７ｂ、…、２７ｎ…貫通孔
２８ａ、２８ｂ、…、２８ｐ…貫通孔
３０…糸状部材
３０Ａ、３０Ｂ…摘み部
５０…中綿材吹き込み装置
５２…台座部
５４…中綿材収容部
５６…化粧パネル
５８…ノズル
【図１】
2006061362.tif 000003
【図２】
2006061362.tif 000004
【図３】
2006061362.tif 000005
【図４】
2006061362.tif 000006
【図５】
2006061362.tif 000007
【図６】
2006061362.tif 000008
【図７】
2006061362.tif 000009
【図８】
2006061362.tif 000010